(57)【要約】【課題】番組の属性に応じてチャプター等の分割処理が安定して行われるようにする。【解決手段】電子番組案内情報を保存する番組案内情報保存部（１１ｃ）と、前記電子番組案内情報から得られる複数の番組属性のそれぞれに対応した区切り点作成アルゴリズムを保存したアルゴリズム保存部（１１ｅ）と、前記複合信号である処理対象とする番組がいずれの番組属性に属するかを前記電子番組案内情報から決定する番組属性決定部（１１ｂ）と、決定した前記番組属性に対応した区切り点作成アルゴリズムを決定するアルゴリズム決定部（１１ｄ）と、決定したアルゴリズムに基づいて前記複合信号の区切り点を生成する区切り点設定処理部（１１ｆ）を有する。【選択図】      図１
2006324770.tif 000002
【特許請求の範囲】
【請求項１】
所定の解析アルゴリズムにより、放送番組の映像データに対する区切り点を生成する映像録画再生装置において、
区切り点生成のための複数の解析アルゴリズムを保持する保持部と、
前記放送番組に関する属性情報を含む電子番組案内情報を取得する取得部と、
前記属性情報に対応して、前記複数の解析アルゴリズムを選択的に切り替えて前記映像データの区切り点を生成する区切り点生成処理部と、
を具備した映像録画再生装置。
【請求項２】
前記区切り点生成処理部は、
前記属性情報として少なくとも放送モード、放送局コード、番組のジャンルのいずれかを用いることを特徴とする請求項１記載の映像録画再生装置。
【請求項３】
前記区切り点生成処理部は、
番組の放送モード、放送局コード、番組のジャンルの全てを用いて、
前記解析アルゴリズムを決定する場合、前記放送モードに応じた第１のアルゴリズム、放送局コードに応じた第２のアルゴリズム、番組のジャンルに応じた第３のアルゴリズムを決定することを特徴とする請求項１記載の映像録画再生装置。
【請求項４】
動作を統括する制御部と、前記制御部の制御に基づいて、放送信号を受信する受信部と、前記受信部により受信された受信信号を復調及び信号処理することにより複合信号に変換する復調及び信号処理部とを有し、操作入力に応じて前記複合信号を記録媒体に蓄積する映像録画再生方法において、
電子番組案内情報を保存し、
前記電子番組案内情報から得られる複数の番組属性のそれぞれに対応した区切り点作成アルゴリズムを用意し、
前記複合信号である番組がいずれの番組属性に属するかを前記電子番組案内情報から決定し、
決定した前記番組属性に対応した区切り点作成アルゴリズムを決定し、
決定したアルゴリズムに基づいて前記複合信号の区切り点を生成するようにしたことを特徴とする映像録画再生方法。
【請求項５】
前記番組属性は、少なくとも放送モード、放送局コード、番組のジャンルのいずれかを含むことを特徴とする請求項４記載の映像録画再生方法。
【請求項６】
前記番組属性は、放送モード、放送局コード、番組のジャンルを全て含むことを特徴とする請求項４記載の映像録画再生方法。
【請求項７】
前記区切り点作成アルゴリズムを決定するステップは、
フレーム処理のためのパラメータを番組属性のジャンルに応じて、変化させることを特徴とする請求項４記載の映像録画再生方法。
【請求項８】
前記区切り点作成アルゴリズムを決定するステップは、
音声信号の無音部を検出した情報のみを用いて区切り点を生成する処理と、
音声信号の音声モードの変化点と音声信号の無音部を検出した情報を用いて区切り点を生成する処理とが
放送モードに応じて切換わることを特徴とする請求項４記載の映像録画再生方法。
【発明の詳細な説明】
【技術分野】
【０００１】
この発明は、映像区切り処理部を有した映像録画再生装置に関するもので、映像を構造化するために、映像区切り処理部を有した映像録画再生装置及び方法に関するものである。つまり、映像信号及び音声信号の特徴を捕らえて、例えばチャプター分割点を検出し、映像を構造化する場合に利用される方法及び装置である。
【背景技術】
【０００２】
映像信号及び音声信号を含む複合信号（例えばテレビジョン放送信号）を解析して、映像構造化を得るための装置が開発されている。映像構造化とは、例えば、特徴シーンの要約映像の作成、チャプター分割などである。映像構造化を行うためには、映像信号の区切りを検出することが必要であるが、各種の方法が開発されている。
【０００３】
例えば、音声信号の特徴量とジャンル情報とを関連させて、映像信号の要約セグメントを決定する方法（特許文献１）がある。また、ジャンル情報と映像信号の特徴シーンを関連させて、要約映像（ダイジェスト）を決定する方法（特許文献２）がある。また映像信号の基準となるセグメントと他のセグメントの特徴量の類似性を測定し、非類似となるセグメント間の境界を検出する方法もある（特許文献３）。
【０００４】
また、動画像圧縮時に得られる動きベクトルデータの挙動を解析し、画像内容の変化点を検出する方法もある（特許文献４）。また、動画像の不連続点の検出情報と、無音部の検出情報を利用して、無音部と不連続点が一致する部分を、映像信号の区切り点として設定する方法がある（特許文献５）。また録画した動画のシーンチェンジ点を検出する方法がある。しかし全てのシーンチェンジ点を採用すると数が多くなりすぎる。そこで、シーチェンジ点の画像と、別の録画した動画のシーチェンジ点の画像との類似度を測定する方法がある。類似している部分が有った場合は、この部分には、意味があり、かつ番組の切換わり目であるとして判定して、この部分のインデックス画像を作成するのである（特許文献６）。
【特許文献１】特開２０００−１０１９３９公報
【特許文献２】特開２００３−２８３９９３公報
【特許文献３】特開２００２−１４０７１２公報
【特許文献４】特開平９−２０９３５８８号公報
【特許文献５】特開平９−０２１４８７９号公報
【特許文献６】特開平１１−２５９０６１号公報
【発明の開示】
【発明が解決しようとする課題】
【０００５】
従来の技術では、一定のジャンルの番組に対するチャプター分割処理は旨く行われる。しかし、各種ジャンルの番組に対して正確なチャプター分割処理が必ずしも得られないという課題があった。
【０００６】
そこで、この発明では、番組の属性に応じて、チャプター等の分割処理が安定して行われるようにした映像録画再生装置及び方法を提供することを目的とする。ここで本発明でいう番組属性は、ジャンル、放送モード、放送局コードなど各種の内容を含むものである。
【課題を解決するための手段】
【０００７】
この発明は、上記の目的を達成するために、所定の解析アルゴリズムにより、放送番組の映像データに対する区切り点を生成する映像録画再生装置において、区切り点生成のための複数の解析アルゴリズムを保持する保持部と、前記放送番組に関する属性情報を含む電子番組案内情報を取得する取得部と、前記属性情報に対応して、前記複数の解析アルゴリズムを選択的に切り替えて前記映像データの区切り点を生成する区切り点生成処理部を有する。また前記区切り点生成処理部は、前記属性情報として少なくとも放送モード、放送局コード、番組のジャンルのいずれかを用いてもよい。また前記区切り点生成処理部は、番組の放送コード、放送局コード、番組のジャンルの全てを用いて、前記解析アルゴリズムを決定する場合、前記放送コードに応じた第１のアルゴリズム、放送局コードに応じた第２のアルゴリズム、番組のジャンルに応じた第３のアルゴリズムを決定してもよい。
【発明の効果】
【０００８】
上記の手段により、それぞれの番組に最適な区切り点作成アルゴリズムを用いることができるために、各種のジャンルの番組に対してチャプター等の分割処理が安定して行われる。
【発明を実施するための最良の形態】
【０００９】
以下、図面を参照してこの発明に係る実施の形態を説明する。図１はこの発明が適用された信号処理装置の構成例である。この信号処理装置は、例えばデジタルテレビジョン受信装置、あるいは情報記録再生装置などに適用可能である。
【００１０】
チューナ１は、例えばデジタル放送信号を受信し、受信信号を復調し、復調出力をトランスポートデコーダ２に供給する。トランスポートデコーダ２で選択された番組の映像信号・音声信号はパケット毎オーディオビデオ（ＡＶ）デコーダ３に入力されて復調される。ＡＶデコーダ３で復調された音声出力は、出力端子４Ａに出力され、映像出力は、出力端子４Ｐに出力される。出力端子４Ｐの映像信号には、合成回路５にて、オンスクリーンディスプレイ（ＯＳＤ）コントローラ６からの映像信号が合成される場合もある。
【００１１】
ダイレクトＲＤＲＡＭ７は、ＡＶデコーダ３、或いはＯＳＤコントローラ６からのデータを一時的に格納するために利用される。ＳＤＲＡＭ８は、例えば受信信号のエラー訂正処理などを行うときに、一時的にデータを格納する場合に利用される。例えば、ＥＥＰＲＯＭ９は、装置の機能を実行するプログラムあるいはパラメータなどを保存しておくために利用される。
【００１２】
１０は、メインバスであり、上記のトランスポートデコーダ２、ＡＶデコーダ３、ＯＳＤコントローラ６、ＳＤＲＡＭ８、ＥＥＰＲＯＭ９などに接続されている。そしてメインバス１０には、装置を統括する制御部であるＣＰＵ１１が接続されている。さらにこの装置は、バス１０を介して外部機器と接続することが可能である。このためにメインバス１０には、モデムインターフェース１２ａ，ＬＡＮ端子１２ｂ、ブルーツースインターフェース１２ｃ、リモコンインターフェース１２ｄ、ＡＴＡＰＩインターフェース１２ｅが接続されている。インターフェース１２ｅを介してハードディスクドライブ１３を接続することも可能である。またメインバス１０には、ＡＶエンコーダ１４が接続されており、映像信号を記録媒体に記録する所定のフォーマット（例えばＤＶＤ規格）に変換することができる
ここでＣＰＵ１１は複数のコンピュータが統合されているコンピュータブロック部である。ここには、リモートコントローラからの操作入力を判断する操作入力判定部１１ａが設けられている。また、対象となる番組の番組属性判定部１１ｂが設けられている。番組属性判定部１１ｂは、番組のジャンル、放送モード、放送局コード、などを認識する。さらに受信した番組案内情報を取得して保存する番組案内情報保存部１１ｃ（取得部）が設けられている。また１１ｅは、アルゴリズム及び又はパラメータ保存部（保持部）である。この保存部１１ｅは、複数種類のアルゴリズム及び又はパラメータを保存している。それぞれは、番組の属性に応じて適切なものが選定されている。
【００１３】
番組属性判定部１１ｂが、番組を認識し、この番組の属性を特定したときに、アルゴリズム及び又はパラメータ決定部１１ｄは、この番組の属性に対応したアルゴリズム及び又はパラメータを決定する。すると、当該番組の区切り点（分割点）を設定するときに、決定されたアルゴリズム及び又はパラメータが使用される。
【００１４】
また、制御部１１には、録画処理制御部１１ｇ、再生制御部１１ｈが装備されている。録画処理制御部1１ｇは、録画モードのときに指定されている記録媒体例えばハードディスクに所定のフォーマット（例えばＤＶＤフォーマット）で複合信号を記録する。このときに当然、複合信号の再生を行うための管理情報も作成されて記録媒体に記録される。そして、この管理情報に、区切り点設定処理部１１ｆからの区切り点（チャプター分割点）が例えばエントリーポイント情報として含まれている。上記の構成では、保持部が、区切り点生成のための複数の解析アルゴリズムを保持し、取得部が、放送番組に関する属性情報を含む電子番組案内情報を取得する。そして区切り点生成処理部が、属性情報に対応して、前記複数の解析アルゴリズムを選択的に切り替えて前記映像データの区切り点を生成する。
【００１５】
図２には、番組案内情報（ＥＰＧ情報と称される）から、ＥＰＧの情報を表すのにそのフォーマットを示している。データはテキストでＣＳＶ形式とされる。例えば「番組識別番号，放送局モード，放送局名，放送日，開始時間，終了時間，ジャンルコード，放送モード，番組名，サブタイトル，出演者，コーナー情報，詳細情報」と配置される。図３は、具体的に情報が記述された例である。具体的情報は、図４のテーブルのサンプル項目から抽出されている。
【００１６】
図５では、放送モードに応じて選択される適用アルゴリズムがテーブルに記載されている。放送モードが［Ｓ］であるときの適用アルゴリズムは、ステレオモードでの無音部検出点の条件判定を行い、この結果で区切り点を設定するアルゴリズムＳＳ１である。放送モードが［二］（バイリンガル）（であるときの適用アルゴリズムは、音声モードの切り替え点で分割点を設定するアルゴリズムＳＳ２である。放送モードが［多］（音声多重）であるときの適用アルゴリズムは、［二］の場合と同様に、音声モードの切り替え点で分割点を設定するアルゴリズムＳＳ２である。放送モードが「その他」であるときの適用アルゴリズムは、［Ｓ］の場合と同様に、ステレオモードでの無音部検出点の条件判定を行い、この結果で区切り点を設定するアルゴリズムＳＳ１である。上記のアルゴリズムＳＳ１，ＳＳ２については、後述する。
【００１７】
図６では、放送局モードに応じて選択される適用アルゴリズムがテーブルに記載されている。放送局モードが「１００１」のときは、アルゴリズムＡ１、放送局モードが「１００２」のときは、アルゴリズムＢ１、放送局モードが「その他」のときは、アルゴリズムＣ１が選択される。アルゴリズムＡ１、Ｂ１，Ｃ１については後述する。
【００１８】
図７では、ジャンルコードに応じて選択される適用アルゴリズム（パラメータ）がテーブルに記載されている。ジャンルコードが「０００１」の場合には、パラメータＡ（例えばカット点検出時の比較フレーム数＝１）に設定される。ジャンルコードが「０００２」の場合には、パラメータＢ（例えばカット点検出時の比較フレーム数＝４）に設定される。ジャンルコードが「その他」の場合には、パラメータＣ（例えばカット点検出時の比較フレーム数＝２）に設定される。
【００１９】
図８には、上記の各種アルゴリズム及び又はパラメータをどのように決めるかを示すフローチャートを示している。ステップＳＺ１では、現在録画しようとしている番組の番組案内情報を参照する。この参照は、図４のテーブルを参照することに相当する。これにより今、録画しようとしている番組の番組属性を特定することが可能である。番組属性は、図５、図６、図７に示した放送モード、放送局モード、ジャンルコードに対応する。
【００２０】
放送モードが特定されたときは（ステップＳＺ２）、図５に示したテーブルから適用アルゴリズムが選択される。次に放送局モードに応じて（ステップＳＺ３）、図６に示したテーブルから適用アルゴリズムが選択される。つぎにジャンルコードに応じて図７に示したテーブルから適用アルゴリズムが選択される（ステップＳＺ７）。
【００２１】
上記ように特定されたアルゴリズムが、区切り点設定処理部１１ｆにおいて用いられる。そして最終的な区切り点（チャプター分割点）が決まり、この情報がエントリーポイント情報として録画処理制御部１１ｇに与えられる。
【００２２】
図９から図１２には、音声信号を用いて、番組の複合信号の区切り点を検出する方法を示している。この方法は、図５のテーブルのアルゴリズムＳＳ１に相当する。この方法は、番組本編がステレオモードである場合でも有効に機能する。無音部を検出し、隣り合う無音部の時間間隔を計測し、時間間隔が所定の条件（１５秒の倍数）であれば、関連した無音部であると判断している。そして関連した複数の無音部の先頭と、最終に対して、区切り点を設定する方法である。
【００２３】
図９は、例えば１つの番組中（例えば録画予約した番組）の中で、２回のコマーシャル期間があった例である。
【００２４】
そして、第１回目のコマーシャル期間にＣＭ１，ＣＭ２，ＣＭ３，ＣＭ４の４つのコマーシャルが放送され、第２回目のコマーシャル期間にＣＭ５、ＣＭ１，ＣＭ２の３つのコマーシャルが放送された例を示している。
【００２５】
例えば第１回目のコマーシャル期間を見ると、各コマーシャルの区切り部では、無音期間があるために、無音部検出フラグが得られる。しかしＣＭ４の後は、後述する条件を満足していないために、ＣＭ４の終了がチャプター境界位置として判定されている。また最初のＣＭ１のスタート直前の無音部検出フラグの位置がチャプ境界として設定されている。つまり、コマーシャル期間の前後にチャプター境界を示すフラグが得られることになる。同様に、第２回目のコマーシャル期間においても無音部の全てにチャプター境界が設定されるのではなく、所定条件を満足する（連続して放送される）複数のＣＭをグループ化し、グループを１つの単位として、チャプター境界を設定している。
【００２６】
図１０には、上述した処理を行うステップを大きなブロックで示している。１つの番組に対するチャプター設定処理が終了しているかどうかを判定し（ステップＳＡ１）、終了していなければ、無音部を検出するために無音検出処理を行う（ステップＳＡ２）。無音部が検出されると、先の説明のように無音部を検出した時間が記憶される（ステップＳＡ３）。番組の終わりに管理情報を処理するとき、図２で説明したように、チャプター境界が管理情報内のエントリーポイントとして設定される。
【００２７】
図１１は、コマーシャル期間にて、無音部が次々と検出されたときに、ＣＭ開始点のチャプター境界と、ＣＭ終了点のチャプター境界を決定するときの様子を示すフローチャートである。処理がスタートすると、まず、無音部を検出したときに、無音部の順番を示す情報としてｉを用いる。最初の無音部が検出されると、ｉ←１とし、ＣＭカウント値（ｃｍ＿ｃｏｕｎｔ）は、ｃｍ＿ｃｏｕｎｔ←０とし、最後の無音部の時刻（ｌａｓｔ＿ｓｉｌｅｎｔ）をｌａｓｔ＿ｓｉｌｅｎｔ←０とし、次に検出した無音部の時刻（ｓｉｌｅｎｔ）もｓｉｌｅｎｔ←０とする（ステップＳＢ１）。
【００２８】
無音部を検出したとき、無音部の個数がｉよりも小さい場合には、前回の時刻（ｓｉｌｅｎｔ）を、ｌａｓｔ＿ｓｉｌｅｎｔ←ｓｉｌｅｎｔとし、今回の時刻（ｓｉｌｅｎｔ）を、ｉ番目の無音部の時刻とする（ステップＳＢ２、ＳＢ３）。次に（ｓｉｌｅｎｔ）−（ｌａｓｔ＿ｓｉｌｅｎｔ）の計算を行い、この値が１５秒の倍数であるかどうかを判定する。コマーシャルは１５秒単位あるいはその倍数の単位で放送されることが多いからである。
【００２９】
１５秒（値Ａ）もしくはその倍数であれば、ｃｍ＿ｃｏｕｎｔ＝０かどうかを判定する（ステップＳＢ５）。０のときは、コマーシャルカウントが開始された直後である。ｉ−１がコマーシャルの開始時刻に相当するため、ステップＳＢ６にて、ｓｔａｒｔ←ｉ−１とする。
【００３０】
ステップＳＢ５でｃｍ＿ｃｏｕｎｔ≠０の場合は、すでにコマーシャル期間がスタートしていることであり、ステップＳＢ７に進みｃｍ＿ｃｏｕｎｔに＋１を行う。ステップＳＢ７の後は、（ｉ＋１）の処理を行い（ステップＳＢ８）、ステップＳＢ２に戻る。
【００３１】
先のステップＳＢ４において、（ｓｉｌｅｎｔ）−（ｌａｓｔ＿ｓｉｌｅｎｔ）の計算結果が、１５秒（値Ａ）の倍数でない場合には、コマーシャル期間でないものと見なす。このときはステップＳＢ９に進み、これまで蓄積しているｃｍ＿ｃｏｕｎｔがｃｍ＿ｃｏｕｎｔ＞閾値（Ｂ）を満足するかどうかを判断する。満足する場合には、複数のコマーシャルグループが放送されたものと判断し、このときのスタート（start）と累積加算された現在のｉが得られた時点をＣＭ開始点、ＣＭ終了点として、チャプター境界設定装置に報告される（ステップＳＢ１０）。この後は、ｃｍ＿ｃｏｕｎｔ＝０、ｉ＝０にセットする。
【００３２】
なお、一定時間（値Ａ）は、可変可能としてもよい。値Ａを可変するには、特殊設定用のユーザ案内メニューを用意して可変できるようにする。また閾値（Ｂ）は、一定のマージンを持たせてもよい。
【００３３】
図１２は、チャプター境界設定装置２８における動作である。ＣＭの開始点の情報、及び終了点の情報を取得して（ステップＳＣ１）、チャプター境界を設定（ステップＳＣ２）する手順を示している。
【００３４】
上記したようにこの発明の方法及び装置によると、コマーシャル放送期間において、無音部を検出し、全ての位置をチャプター境界とするのではなく、連続した複数のコマーシャル（連続コマーシャルグループ）の開始位置と終了位置を検出している。
【００３５】
上記した図９から図１２で説明した処理は、図５のテーブルのアルゴリズムＳＳ１である。無音部の検出は、復調した音声データを所定の閾値でスライスするスライス回路に供給する。そして、閾値より小さい入力レベルの存在箇所を無音部として検出するようにしている。
【００３６】
図１３から図１９は、図５に示したアルゴリズムＳＳ２に相当する信号処理を説明するために示している。
【００３７】
まず、図１３、図１４を参照してアルゴリズムＳＳ２の内容の前提となる技術を説明する。図１３には、放送された複合信号に含まれる音声信号には、モノラルモード、ステレオモード、音声多重モード、ステレオモード、の各種音声モードがあり、混在している場合の例を示している。ここでは、複合信号は、映像信号と音声信号の両方が含まれる信号を意味する。図１３では、番組Ａ（モノラル音声モード），番組Ｂ（ステレオ音声モード）、番組Ｃ（音声多重とステレオモードの混在）が順次記録処理される様子を示している。
【００３８】
図１４には、上記のような音声信号を解析して、区切り情報を生成した様子を示している。ここで、マークｍ１、ｍ１２、ｍ１３、ｍ１５が付されている位置は音声モードが切換わった位置である。マークｍ２−ｍ１１、マークｍ１３、ｍ１４、ｍ１５が付されている位置は無音部を検出した位置である。ステレオモードにおいては、無音部を検出する機能が含まれている。そして、この機能は、例えば３個以上連続する無音部の隣り合う間隔が全て一定時間（例えば１５秒）の倍数であるという条件を満足したときは、連続している無音部の最初と最後の無音部にチャプター分割点を設定するようにしている。この機能の具体的処理については、先に説明した通りである。
【００３９】
図１４では、連続するマークｍ３、ｍ４、ｍ５が上記の条件を満足しているので、チャプター分割点（区切り情報）ｘ１、ｘ２が設定されている。また、マークｍ６−ｍ９も上記の条件を満足しているので、チャプター分割点（区切り情報）ｘ３、ｘ４が設定されている。またマークｍ１３、ｍ１４、ｍ１５も上記の条件を満足しているので、チャプター分割点（区切り情報）ｘ５、ｘ６が設定されている。
【００４０】
この例は、本編がステレオモードのときは、音声レベルが、所定時間、閾値以下の部分を無音部として判定している。また、無音部と次の無音部との時間間隔が一定時間（Ａ）の倍数であるかどうかを判定している。そして、時間間隔が一定時間（Ａ）の倍数であれば、無音部の検出をカウントし、カウント数が閾値（Ｂ）個以上あれば、最初と最後に現れた無音部に対して、区切り情報を設定している。
【００４１】
図１５は、アルゴリズムＳＳ２に対応する実施形態を説明するために示している。図１４と同じ部分には図１４と同一符号を付している。この例では、図１４の例に加えて、さらに音声モードが切換わった部分にもチャプター分割点（区切り情報）ｘ７、ｘ８をつけるようにした例である。この実施の形態であると、番組の境界にも区切り情報をつけることができる。
【００４２】
図１６の例は、本編がステレオモードでない場合に、音声モードが切換わる毎に区切り情報をつけた例を示している。勿論、先の図１５におけるステレオモードのときの判定方法も併用している。つまり本編がステレオモードでなくても、コマーシャル部分がステレオモードなり、複数のコマーシャルが無音部をはさんで放送されることがある。このような場合に、無音部の全てにマークを設定するが、区切り情報は、コマーシャル部分の先頭と終わりに設定される。この例の場合、音声モードが切換わったところだけに区切り情報を設定する。
【００４３】
図１７、図１８は、本編の番組がステレオモードか、モノラルモードであるかを判定する方法の例を示している。本編がステレオモードの場合は、モード変化点の検出と無音部検出点を併用することができるからである。
【００４４】
図１７は、音声信号のステレオモード、モノラルモードの割合を測定したときの例を示している。この発明では、音声信号が例えばモノラルモード（第１のモード）であるときの合計の長さまたは割合が、所定の長さ又は所定の割合以下であるかどうかを判定している。そして所定の割合は、（３／１２０）以上で（１／２）以下としている。２時間（１２０分）番組であって、モノラルモードが３分以上で１時間以下であれば、本編をステレオモードであると判断している。３分間のモノラルの番組は、例えばニュース番組などのように少しだけ含まれることがあるからである。またステレオモードない区間の割合が１／２以上になると、判定結果に対する矛盾が生じるからである。
【００４５】
図１８は、モノラルモードである区間の長さ（例えば３分）が２時間番組（映像全体の長さ）に対してどのような割合であるかどうかを計算するときに、計算の容易さを得るための説明図である。計算のためには、１２０分×（２のｎ乗分の１）を計算して、３分と比較する。（２のｎ乗分の１）は、計算機では計算しやすい。１２０×（２のｎ乗分の１）を計算するには、１２０を２進数で表し、ｎビットシフトすればよい。
【００４６】
図１９は、上記した実施形態のうち代表的なものの動作をフローチャートで示している。番組の所定モード（ステレオモード）でない区間の時間長を合計する（ステップＳＸ１）。次に、合計した時間長は、録画した映像全体の長さに所定の割合を積算した数以下であるかどうかを判定する（ステップＳＸ２）。所定の割合を積算した数以下であれば、番組の本編は所定のモード（ステレオモード）であると判定する（ステップＳＸ３）。次に、無音部検出により、先の条件判定により、チャプター分割点を設定する処理を行う（ステップＳＸ４）。
【００４７】
しかし、ステップＳＸ２において、所定の割合を積算した数より大きい場合、番組の本編は所定のモード（ステレオモード）でない（モノラルモードあるいは音声多重モード）であると判定する（ステップＳＸ５）。
【００４８】
ステップＳＸ４および上記ステップＳＸ５の次は、ステップＳＸ６において、音声モードが切換わった点にもチャプター分割点（区切り情報）を設定する。
【００４９】
この後は、チャプター分割点の情報（区切り情報）は、例えば記録媒体に管理情報の一部として記録される。例えば、管理情報内にエントリーポイントとして記述される。
【００５０】
さらにこのエントリーポイント（区切り情報）には、属性情報が付加されていてもよい。この属性情報は、先に説明したように、無音部を検出して設定した区切り情報ｘ１、ｘ２、ｘ３．ｘ４、ｘ５、ｘ６と、音声モードを参照して設定した区切り情報ｘ７、ｘ８との区別をつけるためである。
【００５１】
図２０、図２１、図２２は、図６に示した適用アルゴリズムＡ１，Ｂ１、Ｃ１の例を簡単に示している。図２０においては、映像信号からシーンチェンジ部を検出し、画像内容の意味ある区間を設定する方法を示している。例えば、番組Ａ１に類似する番組として番組Ｂ０があるとする。例えばニュースなどのように毎朝或いは毎夜、同一時間帯に放送される番組である。このような番組Ａ１、Ｂ０であると、同じスポンサーのコマーシャルが放送され場合があり、また同じオープニング映像、エンディング映像が使用されることが多い。そこで、このような類似画像を番組間で確認しあうことができれば、その類似画像検出位置を例えばチャプター分割位置として利用可能である。
【００５２】
今、番組Ａ１は、参照用番組として既に収録されて記録媒体に録画されているものとする。またこの番組Ａ１シーンチェンジ位置のフレームも検出されて、そのフレーム番号及び時間（番組内における相対的なフレーム番号及び時間）が登録されているものとする。一方番組Ｂ０は現在録画中か録画した直後であるものとする。
【００５３】
図２０において、斜線を付したフレームは、シーンチェンジがあったところの検出フレーム（シーンチェンジフレーム）である。番組Ａ１のシーンチェンジフレームを番組Ｂ０のシーンチェンジフレームと比較する。シーンチェンジは、前後のフレーム間を比較することにより、録画処理中であってもリアルタイムで検出可能である。この場合、番組Ｂ０のフレームｆ１１は、番組Ａ１内において、略同一時間帯（前後数分程度）のシーンチェンジフレームと内容比較される。そして両者の類似度が判定される。図２０では、番組Ｂ０のシーンチェンジフレームｆ１１、ｆ１２、ｆ１３、ｆ１４が、番組Ａ１のシーンチェンジフレームｆ０１、ｆ０２、ｆ０３に対して比較された様子を示している。丸印についた対応フレームは、類似度が高く、三角印のついた対応フレームは、非類似であることを示している。この例であると、フレームｆ１１、ｆ０１が類似関係、ｆ１３、ｆ０３が類似関係、ｆ１４、ｆ０３が類似関係である。ｆ１２は、類似するフレームが存在しなかったことを示している。したがって、番組Ｂ０のシーンチェンジフレームが登録されるときは、フレームｆ１１、ｆ１３、ｆ１４が登録されることになる。翌日には、番組Ｂ０が参照用番組として利用されてもよい。さらには、番組Ａ１，Ｂ０の両方が参照用番組として利用されてもよい。なおこのアルゴリズムＡ１としては、特開平１１−２５９０６１号公報の技術をそのまま用いてもよい。
【００５４】
なお上記の例であると、異なる番組Ａ１，Ｂ０のシーンチェンジフレームを検出し、番組Ａ１，Ｂ０間の類似フレームを検出した。しかし、同じ番組内においても例えば、３０分ごとに区切り、前半３０分の映像と、後半３０分の映像との間で、類似するシーンチェンジフレーム（或いは、画像圧縮の基準となるＩピクチャー）を検出してもよい。
【００５５】
図２１は、図６に示したアルゴリズムＢ１の例を示す説明図である。この例は、前後のフレーム間で画像動きベクトルの変化を監視し、画像動きベクトルが設定しきい値を越えたときのフレームを検出している。つまりこの検出したフレームがインデックスフレームであり、またこのフレーム位置が区切り点となる。なおこのアルゴリズムＢ１としては、特開平９−９３５８８号公報の技術をそのまま用いてもよい。
【００５６】
図２２は、図６のアルゴリズムＣ１に相当し、音声信号と映像信号の解析結果の両方を利用する技術である。映像信号に関しては、シーンチェンジフレーム（図示の斜線を付したフレーム）を検出する。また音声信号に関しては、無音部を検出する。そして、シーンチェンジフレームと無音部とが重なった時点を、複合信号の区切り点として設定する。なおこのアルゴリズムＣ１としては、特開平９−２１４８７９号公報の技術をそのまま用いてもよい。
【００５７】
図２３、図２４は、分割点を検出する際、図７に示したように、ジャンルコードに応じて分割点を検出する際のパラメータを切換えることができる動作を説明するために示している。
【００５８】
この分割点を得る機能は、映像信号を構造解析チャプター分割（マジックチャプター分割と称してもよい）機能とも称される。この機能は主として映像データを分析し、フィールド或いはフレーム画像の類似度を判定する。そして、カット検出、類似ショットの判定、対話度数の算出などを行い、チャプター境界を決定する方法である。ここではカット点とカット点との間をショットと称している。
【００５９】
上記の「カット検出」とは、ＩピクチャフレームとＩピクチャフレーム（もしくは０．５秒ごとのフレーム）を比較し、画面全体の色相が大きく異なるか、輝度変化が大きい領域が予め設定しているパラメータより多い場合は、フレームは非類似と判定する。そして、０．５秒離れたフレーム同士を順次比較しで、非類似のフレームの組の数が、閾値以上の区間があった場合には、この区間の任意の点にカット点を設定する方法である。図２３には、矢印で示すフレーム相互間の類似性を判定している様子を示している。そして、非類似のフレームの組が多数存在している部分で、カット点を設定した様子を示している。ｆｎ、ｆｎ−１，ｆｎ−２，…、ｆｅ、ｆｅ−１，ｆｅ−２，…、は、フレームである。
【００６０】
上記の「類似ショット検出」とは、過去のカット点からさかもどった数フレームと、直近のカット点から後の数フレームとの総当りでフレーム間の類似判定を行う。そして、「類似」と判断したフレームの組の数が閾値以上の場合、双方のショットは、類似であると判定するものである。つまり、図２４に示すように、カット点とカット点との間にあるショットＡ，Ｄ間のフレームが類似しているかどうかを判定する。図のフレームの組み合わせ例であると、類似判定は、例えば丸印を付している数が得られることになる。
【００６１】
ここで、図７で説明したように、比較対象或いは検査対象とするフレーム数はジャンルに応じて切換えられるようになっている。または、ジャンルに応じて比較するフレームの間隔を変えてもよい。シーンチェンジの種類としては、瞬間に場面が切換わるタイプ、フェードイン、フェードアウトにより次第に場面が切換わるタイプ（リゾルブ）がある。さらには、ワイプというタイプもある。番組或いはジャンル（例えばバラエティー番組）によっては、上記のリゾルブを多用するものもある。このような場合は、シーンチェンジを検出するのに、図２３、図２４に示すフレーム間隔あるいはフレームの組みの数を増やしたほうがよい。そして、フレーム間の差分値が設定したしきい値を超えたときにシーンチェンジがあったとするのである。または、フレーム間の差分値がしきい値を超える組が所定数以上生じた時に、シーンチェンジがあったと判定するのである。
【００６２】
シーンチェンジが瞬間に変わるような場合（ドラマでは比較的多い）は、フレーム間の差分値が大きいから、図２３、図２４に示す比較するフレームの間隔あるいは、比較するフレームの組みの数は少なくても十分に検出可能である。
【００６３】
そこでこの装置では、図２３のカット点検出時のフレームの間隔あるいは、フレームの組数、図２４の類似ショットを検出するときのフレームの組数をジャンルに応じて変化させるようにしている。
【００６４】
「対話検出」と「対話度数」は、次のように定義されている。（ａ）類似ショットが集中的に登場する区間（部分）は、意味のある区間である。（ｂ）類似ショットがどれくらいの密度で出現するかを数値化するために「対話度数」という指標を導入している。「対話度数」は、以下の条件を満たすほど大きくなる。（ｂ１）ショットが多くふくまれている（＝カット点が頻繁に現れる）。（ｂ２）対話に貢献している（＝類似している）ショットの個数が多い。（ｂ３）対話に貢献している（＝類似している）ショットの合計時間が長い。
【００６５】
上記の（ｃ）対話度数をもとに、対話区間を算出する。そして（ｄ）近接した対話区間は接続する。
【００６６】
「構造解析チャプター分割」機能は、基本的に上記の処理により実行される。カット点を設定し、類似ショットを検出する場合は、上記の処理で足りる場合がある。しかし、複数の番組構造を再構築する機能を追加するには、さらに以下のような機能を含んでもよい。
【００６７】
即ち、「ニュース番組固有処理」機能、「その他の番組処理」機能である。「ニュース番組固有処理」機能、話題先頭ショット検出を行うもので、番組内にある程度分布し、ある程度長く、ある回数以上出現する類似ショットを「話題の先頭ショット」と仮定する。そして「話題の先頭ショット」が連続している場合、連続の最後のショットを真の「話題の先頭ショット」、それ以外を「前の話題のフォローアップ」と判定するのである。「その他の番組処理」機能は、「コーナータイトル検出」機能を設定している。この機能は番組内に広く分布し、対話区間に属さず、ある回数以上出現する類似ショットを「コーナータイトル」であると判定する。また、番組開始後しばらくたってもコーナータイトルが現れない場合は、「コーナータイトルを持たない番組」とみなすのである。
【００６８】
上記のように、番組のカット点の情報、類似ショットの情報、ニュース番組の話題先頭の情報、その他の番組のコーナータイトルの情報が得られると、番組を編集する場合、あるいは、番組のチャプターを構築する場合に、有効な情報として利用可能となる。
【００６９】
上述したように、放送モード、放送局モード、ジャンルに応じて分割点が設定された場合、その分割点の直前もしくは直後のフレーム画像は、インデックス画像として利用される。
【００７０】
図２５には、番組Ｃ１のインデックス画像が登録された後、インデックス画像表示モード（チャプター表示モード）に装置が移行したときの画面例を示している。なお、チャプター分割点が決まり、チャプター分割点に対応するフレーム画像が決まったとき、このフレーム画像を縮小処理して、インデックス画像として記録媒体に記録することで、上記のインデックス画像の一覧表示を得ることができる。しかし、必ずしもインデックス画像を独立して記録媒体に記録しなくてもよい。つまりチャプター分割点が管理情報内にエントリーポインタとして登録されていれば、インデックス画像が要求されたとき、対応するフレーム画像を縮小して一覧表示することが可能である。
【００７１】
図２６はこの発明が適用された記録再生装置の全体構成を示す図である。この記録再生装置は、２種類のディスクドライブ部を有する。光ディスク１０１は、ビデオファイルを構築できる情報記録媒体である。ディスクドライブ部１０２は、光ディスク１０１を回転駆動し、情報の読み書きを実行する。１０４はハードディスクを駆動するハードディスクドライブ（ＨＤＤ）部である。
【００７２】
データプロセッサ部１０３は、ディスクドライブ部１０２及びハードディスクドライブ部１０４に記録データを供給することができ、また、再生された信号を受け取ることができる。ディスクドライブ部１０２は、光ディスク１０１に対する回転制御系、レーザ駆動系、光学系などを有する。
【００７３】
データプロセッサ部１０３は、記録または再生単位のデータを取り扱うもので、バッファ回路、変調・復調回路、エラー訂正部などを含む。
【００７４】
この記録再生装置は、録画側を構成するエンコーダ部２００と、再生側を構成するデコーダ部３００と、装置本体の動作を統括して制御するマイクロコンピュータブロック４００とを主たる構成要素としている。エンコーダ部２００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、映画の字幕などを圧縮する副映像エンコーダも含む。
【００７５】
エンコーダ部２００の出力は、バッファメモリ２０３を含むフォーマッタ２０４にて所定のＤＶＤ（ＤＶＤ−Ｒ，ＤＶＤ−ＲＷ，ＤＶＤ−ＲＡＭ、など）フォーマットに変換され、先のデータプロセッサ部１０３に供給される。エンコーダ部２００には、ＡＶ入力部２１１から外部アナログビデオ信号と外部アナログオーディオ信号、あるいはＴＶチューナ２１２からアナログビデオ信号とアナログオーディオ信号が入力される。なお、エンコーダ部２００は、圧縮されたデジタルビデオ信号やデジタルオーディオ信号が直接入力されるときは、圧縮デジタルビデオ信号やデジタルオーディオ信号を直接フォーマッタ２０４に供給することもできる。またエンコーダ部２００は、アナログデジタル変換されたデジタルビデオ信号及びオーディオ信号を、ビデオミキシング部３０５及びオーディオセレクタ３０１にそれぞれ直接供給することもできる。
【００７６】
エンコーダ部２００に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００７７】
副映像信号がＡＶ入力部２１１から入力された場合（例えば副映像信号の独立出力端子付ＤＶＤビデオプレーヤからの信号など）、あるいはこのようなデータ構成のＤＶＤビデオ信号が放送されてそれがＴＶチューナ２１２で受信された場合は、ＤＶＤビデオ信号中の副映像信号が副映像エンコーダでエンコード（ランレングス符号化）されて副映像のビットマップとなる。
【００７８】
エンコードされたデジタルビデオ信号、デジタルオーディオ信号、副映像データは、フォーマッタ２０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００７９】
ここでこの装置は、フォーマッタ２０４でフォーマット化された情報（ビデオ、オーディオ、副映像データなどのパック）及び作成された管理情報を、データプロセッサ部１０３を介してハードディスクドライブ部１０４あるいはデータディスクドライブ部１０２に供給し、ハードディスクあるいは光ディスク１０１に記録することができる。またハードディスクあるいは光ディスクに記録された情報を、データプロセッサ部１０３、ディスクドライブ部１０２を介して光ディスク１０１あるいはハードディスクに記録することもできる。
【００８０】
またハードディスクあるいは光ディスク１０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００８１】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００８２】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００８３】
またマイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００８４】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。またマイクロコンピュータブロック４００は、この装置を操作するための操作信号を与えるキー入力部４０１を有する。マイクロコンピュータブロック４００が、ディスクドライブ部１０２、ハードディスクドライブ部１０４、データプロセッサ部１０３、エンコーダ部２００及び／またはデコーダ部３００などを制御するタイミングは、ＳＴＣ（システムタイムクロック）４０３からの時間データに基づいて実行することができる。
【００８５】
録画や再生の動作は、通常はＳＴＣ４０３からのタイムクロックに同期して実行されるが、それ以外の処理はＳＴＣ４０３とは独立したタイミングで実行されてもよい。
【００８６】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００８７】
デコーダ部３００の出力ビデオ信号は、ビデオミキシング部３０５に入力される。ビデオミキシング部３０５では、テキストデータの合成が行われる。またビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合はＩ／Ｆ（インタフェース）３０７を介して外部出力され、デジタル出力の場合はデジタルアナログ変換器３０８を介して外部へ出力される。
【００８８】
また、ビデオミキシング部３０５は、ＧＵＩとしての案内画面を作るための画像信号を出力することができる。この画像信号は、マイクロコンピュータブロック４００内の案内画面処理制御部４０ｄにより制御されている。
【００８９】
さらに、操作入力判定部４０ａ（図１の操作入力判定部１１ａに対応），録画予約制御部４０ｂ、編集処理制御部４０ｃ、案内画面処理制御部４０ｄなども設けられており、制御部４００は、装置の全体を統括することができる。
【００９０】
またマイクロコンピュータブロック４００では、図１で示した、
対象となる番組の番組属性判定部１１ｂ、番組案内情報保存部１１ｃ、アルゴリズム及び又はパラメータ保存部１１ｅ、アルゴリズム及び又はパラメータ決定部１１ｄが設けられている。さらには、録画処理制御部１１ｇ、再生制御部１１ｈが装備されている。録画処理制御部1１ｇは、録画モードのときに指定されている記録媒体例えばハードディスクに所定のフォーマット（例えばＤＶＤフォーマット）で複合信号を記録する。このときに当然、複合信号の再生を行うための管理情報も作成されて記録媒体に記録される。そして、この管理情報に、区切り点設定処理部１１ｆからの区切り点（チャプター分割点）が例えばエントリーポイント情報として含まれる。
【００９１】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２００をスルーした信号を直接選択することも可能である。
【００９２】
なお、エンコーダ部２００のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャーのエンドアドレス、ＶＯＢＵの再生時間などである。
【００９３】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００９４】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００９５】
データプロセッサ部１０３は、エンコーダ部２００のフォーマッタからＶＯＢＵ単位のデータを受け取り、ＣＤＡ単位のデータをディスクドライブ部１０２あるいはハードディスクドライブ部１０４に供給している。またマイクロコンピュータブロック４００のＭＰＵは、記録したデータを再生するのに必要な管理情報を作成し、データ記録終了のコマンドを認識すると、作成した管理情報をデータプロセッサ部１０３に送る。これにより、管理情報がディスクに記録される。従って、エンコードが行われているとき、エンコーダ部２００からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアをデータプロセッサ部１０３を介してディスクに設定している。
【００９６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９７】
【図１】この発明の一実施の形態における基本的な構成を示す図である。
【図２】番組案内情報（ＥＰＧ情報）を表すために用いられるフォーマットの例を示す説明図である。
【図３】上記フォーマットに沿って表されたＥＰＧ情報の具体的例を示す説明図である。
【図４】ＥＰＧ情報のテーブルを示す説明図である。
【図５】この発明に係るアルゴリズムのテーブル例を示す説明図である。
【図６】この発明に係る別のアルゴリズムのテーブル例を示す説明図である。
【図７】この発明に係るさらに別のアルゴリズムのテーブル例を示す説明図である。
【図８】この発明に係る分割点処理アルゴリズムの設定手順を示すフローチャートである。
【図９】この発明に係る無音部検出を利用したチャプター分割の原理を説明するために示した説明図である。
【図１０】上記の無音部の検出動作を説明するために示したフローチャートである。
【図１１】上記の無音部の検出とチャプター分割点設定動作を説明するために示したフローチャートである。
【図１２】上記の無音部検出を利用してＣＭ検出を行い、チャプター分割点を設定するための動作を説明するために示したフローチャートである。
【図１３】この発明の装置の動作を説明するために複合信号に含まれる音声信号の音声モードの例を示す説明図である。
【図１４】この発明の装置の一動作例を説明するために示した図であり、複合信号に含まれる音声信号の音声モードの切り換り点、音声モードの切り換り点にマークを付した例を示す説明図である。
【図１５】この発明の装置の動作例を説明するために示した図であり、複合信号に含まれる音声信号の音声モードの切り換り点、音声モードの切り換り点にマークを付し、それぞれにルールに従って分割点を設定した例を示す説明図である。
【図１６】この発明の装置のさらに他の動作例を説明するために示した図であり、複合信号に含まれる音声信号の音声モードの切り換り点、音声モードの切り換り点にマークを付した他の例を示す説明図である。
【図１７】複合信号に含まれる音声信号の複数の音声モードの中で、特定の音声モードの所定の割合の計算例を説明するために示した説明図である。
【図１８】複合信号に含まれる音声信号の複数の音声モードの中で、特定の音声モードの所定の割合の他の計算例を説明するために示した説明図である。
【図１９】この発明に係る装置で、音声モードに応じてチャプター分割を行う場合の動作例を説明するために示したフローチャートである。
【図２０】この発明の装置において、シーンチェンジを検出する際のアルゴリズム例を説明するために示した説明図である。
【図２１】この発明の装置において、シーンチェンジを検出する際の他のアルゴリズム例を説明するために示した説明図である。
【図２２】この発明の装置において、シーンチェンジを検出する際のさらにまた他のアルゴリズム例を説明するために示した説明図である。
【図２３】この発明の装置において、シーンチェンジ又はカット点を検出する際のアルゴリズム例を説明するために示した説明図である。
【図２４】この発明の装置において、シーンチェンジ又はカット点を利用して類似ショットを検出する際のアルゴリズム例を説明するために示した説明図である。
【図２５】この発明の装置において、インデックス画像を表示した例を示す図である。
【図２６】この発明が適用された録画再生装置の構成例を示す説明図である。
【符号の説明】
【００９８】
１…チューナ、２…トランスポートでコーダ、３…ＡＶデコーダ、１１…ＣＰＵ（制御部）、１１ａ…操作入力判定部，１１ｂ…番組属性判定部，１１ｃ…番組案内情報保存部，１１ｄ…アルゴリズム及び又はパラメータ決定部，１１ｅ…アルゴリズム及び又はパラメータ保存部，１１ｆ…区切り点設定処理部、１３…ＨＤＤ。
【図１】
2006324770.tif 000003
【図２】
2006324770.tif 000004
【図３】
2006324770.tif 000005
【図４】
2006324770.tif 000006
【図５】
2006324770.tif 000007
【図６】
2006324770.tif 000008
【図７】
2006324770.tif 000009
【図８】
2006324770.tif 000010
【図９】
2006324770.tif 000011
【図１０】
2006324770.tif 000012
【図１１】
2006324770.tif 000013
【図１２】
2006324770.tif 000014
【図１３】
2006324770.tif 000015
【図１４】
2006324770.tif 000016
【図１５】
2006324770.tif 000017
【図１６】
2006324770.tif 000018
【図１７】
2006324770.tif 000019
【図１８】
2006324770.tif 000020
【図１９】
2006324770.tif 000021
【図２０】
2006324770.tif 000022
【図２１】
2006324770.tif 000023
【図２２】
2006324770.tif 000024
【図２３】
2006324770.tif 000025
【図２４】
2006324770.tif 000026
【図２５】
2006324770.tif 000027
【図２６】
2006324770.tif 000028